(57)【特許請求の範囲】
【請求項１】
操作入力手段と、制御手段と、第１レジスタと、第２レジスタと、表示手段と、送信手段を備え、所定複数桁の選曲番号を扱うカラオケリモコン装置であって、
選曲番号は、上位の所定複数桁が元歌歌手に対応付けされた歌手識別番号であり、
操作入力手段は、番号と、送信指示と、リコール指示の入力が可能であり、
制御手段は、初期入力処理と、表示処理と、送信処理と、リコール処理を行い、
初期入力処理は、操作入力手段から入力される一連の番号に基づいて第１レジスタに選曲番号を形成させ、
表示処理は、第１レジスタ中の番号を表示手段に表示させ、
送信処理は、送信指示に入力があった際、第１レジスタに形成された選曲番号を含むリモコン信号を送信手段に送信させるとともに、当該選曲番号を第２レジスタに記憶させて第１レジスタを初期化し、
リコール処理は、リコール指示の入力があった際、第２レジスタ中の選曲番号の少なくとも歌手識別番号を第１レジスタに記憶させるとともに、当該歌手識別番号と、操作入力手段から入力される番号とにより第１レジスタに選曲番号を形成させる
カラオケリモコン装置。
【請求項２】
リコール処理は、歌手識別番号以外の下位桁の番号の入力を受け付ける状態において、その下位桁の表示部分を点滅させる
請求項１に記載のカラオケリモコン装置。
【発明の詳細な説明】
【０００１】
【発明の属する技術分野】
この発明はカラオケリモコン装置に関し、とくに元歌歌手の識別子として割り当てられた上位複数桁番号と、その歌手の持ち歌番号として割り当てられた下位複数桁番号とで構成されている選曲番号によって選曲予約を行うものに関する。
【０００２】
【従来の技術】
カラオケリモコン装置は、テンキーや転送キー等が配置されたユーザ操作部、この操作部から入力された選曲番号をモニター表示する表示部、その入力選曲番号を赤外線信号（空間伝送信号）を使ってカラオケ本体装置へ送信する無線Ｉ／Ｆ（インターフェイス）などを有し、次のように構成されている。
【０００３】
すなわち、カラオケ利用者が上記操作部のテンキーから選曲番号を入力すると、その選曲番号をレジスタに一時的に保持するとともに、その保持した選曲番号を表示部にモニター表示する。このモニター表示によってカラオケ利用者に誤入力の確認を行わせることができるが、この段階で上記操作部にて訂正の操作があった場合にはその受付処理を行う。
【０００４】
選曲番号の入力が完了した段階でカラオケ利用者が上記操作部の転送キーを押圧操作すると、上記レジスタに保持されている選曲番号を所定フォーマットの赤外線信号に変換してカラオケ本体装置へ無線送信（転送）する。この場合、その転送動作をいったん行うと、上記レジスタの保持内容を初期化（クリア）して無入力状態に復帰させる。これは、転送キーが誤って２度押しされた場合に、同じリクエスト曲が重複して予約されてしまう不都合を避けるためである。
【０００５】
【発明が解決しようとする課題】
上述したように、従来のカラオケリモコン装置では、カラオケ利用者が入力した選曲番号を転送動作ごとに消去（クリア）するように構成したことにより、転送キーの２度押しによる重複予約の不都合を回避させることができるが、転送キーを押しときにたまたまリモコン装置の前を人が横切ったり、あるいは何らかの遮蔽物が介在したりすると、リモコン装置からカラオケ本体装置への伝送が正しく行なわれなくなる。このような場合、利用者には同じ選曲番号を最初から入力し直さなければならない面倒が生じる。
【０００６】
また、一般に、カラオケ利用者はそれぞれ自分の好みの歌手の持ち歌の中から選曲する傾向がある。したがって、その利用者の便宜を考慮するならば、選曲番号は、元歌歌手の識別子として割り当てられた上位複数桁番号と、その歌手の持ち歌番号として割り当てられた下位複数桁番号とで構成するのが適当である。こうすれば、利用者は、自分の好みの曲を簡単に探して選曲予約することができる。
【０００７】
しかし、利用者が同じ歌手の持ち歌の中から曲だけを変えて連続予約する場合でも、上述した従来のリモコン装置では、元歌歌手とその歌番号の両方を指定する選曲番号を１曲ごとにすべて入力しなければならなかった。これは同じ歌手の持ち歌の中から選曲したい利用者にとってはたいへん面倒であり、また入力桁数が多いと誤入力の確率も高くなるという問題が生じる。
【０００８】
この発明は上述のような観点からなされたもので、その目的は、元歌歌手の識別子として割り当てられた上位複数桁番号と、その歌手の持ち歌番号として割り当てられた下位複数桁番号とで構成されている選曲番号を扱うカラオケリモコン装置において、転送キーの２度押しによる重複予約の不都合を回避する機能を備えつつ、転送が失敗したときの再入力操作、および同じ歌手の持ち歌の中から連続予約を行う場合の選曲操作を大幅に簡便化させることができるカラオケリモコン装置を提供することにある。
【０００９】
【課題を解決するための手段】
この発明に係るカラオケリモコン装置は、分説すると、つぎの事項（１）〜（８）により特定されるものである。
（１）操作入力手段と、制御手段と、第１レジスタと、第２レジスタと、表示手段と、送信手段を備え、所定複数桁の選曲番号を扱うカラオケリモコン装置であること
（２）選曲番号は、上位の所定複数桁が元歌歌手に対応付けされた歌手識別番号であること
（３）操作入力手段は、番号と、送信指示と、リコール指示の入力が可能であること
（４）制御手段は、初期入力処理と、表示処理と、送信処理と、リコール処理を行うこと
（５）初期入力処理は、操作入力手段から入力される一連の番号に基づいて第１レジスタに選曲番号を形成させること
（６）表示処理は、第１レジスタ中の番号を表示手段に表示させること
（７）送信処理は、送信指示に入力があった際、第１レジスタに形成された選曲番号を含むリモコン信号を送信手段に送信させるとともに、当該選曲番号を第２レジスタに記憶させて第１レジスタを初期化すること
（８）リコール処理は、リコール指示の入力があった際、第２レジスタ中の選曲番号の少なくとも歌手識別番号を第１レジスタに記憶させるとともに、当該歌手識別番号と、操作入力手段から入力される番号とにより第１レジスタに選曲番号を形成させること
【００１０】
上記手段により、２度押しによる重複予約の不都合を回避する機能を備えつつ、転送が失敗したときの再入力操作、および同じ歌手の持ち歌の中から連続予約を行う場合の選曲操作を大幅に簡便化させることができる。
【００１１】
さらに、上記手段において、下位複数桁番号の入力受付状態のときにその下位複数桁番号の表示部分を点滅させる制御手段を備えることにより、再入力の開始位置を利用者に効果的に認知させて誤入力をさらに少なくすることができる。
【００１２】
また、上記選曲番号について、下位複数桁番号の桁数が上位複数桁番号の桁数よりも少ない場合は、利用者が同じ歌手の持ち歌の中からの選曲する際の入力手間を、より効果的に低減させることができる。
【００１３】
【発明の実施の形態】
以下、この発明の好適な実施形態を図面を参照しながら説明する。
【００１４】
＝＝＝構成＝＝＝
図１はこの発明の実施例によるカラオケリモコン装置の内部機能に着目したブロック図を示す。また、図２は上記装置の外観構成例を示す。
同図に示すカラオケリモコン装置の主要部は、マイクロ回路化された中央処理ユニットいわゆるＣＰＵ２０と、このＣＰＵ２０の周辺装置をなすユーザ操作部１０、表示部１５、赤外線送信ユニット（ＩｒＤＡ−Ｉ／Ｆ）３１などによって構成される。
【００１５】
ユーザ操作部１０には、図２に示すように、選曲番号を入力するためのテンキー、入力した選曲番号を赤外線送信ユニット３１から送信させるための転送キーなどのほかに、「リコール」と表記された復活操作用のキー１４が配置されている。この「リコール」キー１４は本発明の装置に特有のものである。
【００１６】
表示部１５はユーザ操作部１０から入力された選曲番号を数値表示する。選曲番号は６桁の数字からなり、上位４桁は元歌歌手の識別子として割り当てられ、下位２桁はその歌手の持ち歌番号として割り当てられている。この表示部１５には、上位４桁と下位２桁を互いに区切って表示する表示域１５Ａ，１５Ｂが形成されている。
【００１７】
ＣＰＵ２０には装置全体の基本的制御を司る主制御機能に加えて、テンポラリ・レジスタ２１、セーブ・レジスタ２２、入力制御部２３、転送制御部２４、点滅制御部２５などの機能が構成されている。各機能はＣＰＵ２０内のレジスタやメモリを使ってソフトウェア的に実現される。
【００１８】
テンポラリ・レジスタ２１は、ユーザー操作部１０から入力された選曲番号を上位４桁と下位２桁に分けてそれぞれ一時的に記憶・保持する。Ｒ１１はその上位４桁の記憶部、Ｒ１２はその下位２桁の記憶部をそれぞれ示す。このレジスタ２１の保持内容（入力内容）はそのまま上記表示部１５にて表示される。
【００１９】
セーブ・レジスタ２２はテンポラリ・レジスタ２１の保持内容を退避保存する記憶手段をなす。Ｒ２１は６桁選曲番号のうちの上位４桁の記憶部、Ｒ２２はその下位２桁の記憶部をそれぞれ示す。
【００２０】
入力制御部２３はユーザ操作部１０からの選曲番号の入力受付処理を行う。また、上記「リコール」キー（復活キー）１４が操作されると、その操作に応じる形でセーブ・レジスタ２２の保持内容をテンポラリ・レジスタ２１に再保持（ロード）させる制御を実行する。
【００２１】
転送制御部２４はユーザ操作部１０での転送操作（転送キー）に応じる形で動作し、テンポラリ・レジスタ２１の選曲番号を符号化して、赤外線送信ユニット３１からカラオケ本体装置５０へ送信させる転送処理を実行する。このとき、次の選曲番号の入力受付状態を形成するためにテンポラリ・レジスタ２１の保持内容を初期化するが、この初期化に先立って、テンポラリ・レジスタ２１に保持された選曲番号をセーブ・レジスタ２２に退避保存させる制御を実行する。
【００２２】
＝＝＝動作＝＝＝
図３は上述したカラオケリモコン装置の要部における動作フローチャートを示す。また、図４は上記装置の主要な動作状態（Ｃ１〜Ｃ３）をキー操作と表示の対応で示す。
【００２３】
同図に示すように、上述したリモコン装置では、まず、ユーザ操作部１０から選曲番号の上位４桁の入力受付処理を実行する（Ｓ１／Ｃ１）。ここで、入力された番号は、テンポラリ・レジスタ２１の上位桁記憶部Ｒ１１に１桁ずつ順次格納する。格納された番号は表示部１５にてモニター表示される（Ｓ２／Ｃ２）。
【００２４】
選曲番号の上位４桁の入力が完了すると、同様にして、その下位２桁の入力受付処理を実行する（Ｓ２，Ｓ３／Ｃ２）。この入力受付処理では、表示部１５の下位２桁表示域１５Ｂを点滅させて、入力対象となっている番号を利用者に認知させる。これにより、利用者はその下位２桁だけに注目して入力操作を確実に行うことができる。入力された番号は、テンポラリ・レジスタ２１の下位桁記憶部Ｒ１２に１桁ずつ順次格納する。ここで格納された番号も表示部１５にてモニター表示される（Ｃ３）。
【００２５】
以上のようにして上位４桁（歌手）と下位２桁（持ち歌）とからなる選曲番号の入力が完了すると、転送キーによる転送操作が可能な状態を形成する（Ｓ５、Ｃ３）。
【００２６】
ここで、利用者が転送キーを押圧操作すると、テンポラリ・レジスタ２１に保持されている選曲番号をセーブ・レジスタ２２に退避保存させるとともに、そのテンポラリ・レジスタ２１の選曲番号を符号化してカラオケ本体装置５０へ赤外線送信させる転送処理を実行する。そして、この転送処理の実行と同時に、テンポラリ・レジスタ２１の保持内容をクリア（消去）して、次の選曲番号の入力待ち状態を形成する（Ｓ６／Ｃ１）。
【００２７】
なお、選曲番号の入力（４桁＋２桁）が完了した時点で、ユーザー操作部１０にて入力やり直しの操作が行なわれた場合には、上記転送は行なわれず、テンポラリ・レジスタ２１の保持内容だけがクリアされる（Ｓ５１，Ｓ６１）。
【００２８】
このあと、ユーザー操作部１０から新たな選曲番号の入力があると（Ｓ７１）、最初の入力受付状態（Ｓ１）に戻って、上位４桁と下位２桁による選曲番号の入力受付処理を開始する（Ｃ１）。
【００２９】
他方、ユーザー操作部１０にて「リコール」キー（復活キー）１４の操作が行われると（Ｓ７）、セーブ・レジスタ２２に退避保存させた選曲番号がテンポラリ・レジスタ２１にロードされて転送前の選曲番号が表示されるとともに（Ｓ８）、下位２桁の入力受付状態に戻る（Ｓ３／Ｃ２’）。
【００３０】
これにより、転送キーの操作時にリモコン装置の前を人が横切ったりして転送が不成功に終わった場合、あるいは利用者が同じ元歌歌手の持ち歌の中から別の曲をさらに選曲したい場合、利用者は上記「リコール」キー（復活キー）１４を操作することによって、転送前の選曲番号を確認することができるとともに、下位２桁の番号の入力操作だけでもって、同じ元歌歌手の持ち歌の中から選曲を行うことができる。
【００３１】
以上のようにして、上述したカラオケリモコン装置では、転送キーの２度押しによる重複予約の不都合を回避する機能を備えつつ、転送が失敗したときの再入力操作、および同じ歌手の持ち歌の中から連続予約を行う場合の選曲操作を大幅に簡便化させることができる。
【００３２】
＝＝＝他の実施形態＝＝＝
上述した実施形態では選曲番号の下位２桁を点滅表示させるようにしたが、入力対象となっている桁部分にカーソル表示を行う構成、あるいはその部分を反転表示させる構成であってもよい。また、これらを上述した点滅表示と組合わせる構成も可能である。
【００３３】
【発明の効果】
以上に説明したように、本発明は、元歌歌手の識別子として割り当てられた上位複数桁番号と、その歌手の持ち歌番号として割り当てられた下位複数桁番号とで構成されている選曲番号を扱うカラオケリモコン装置において、ユーザ操作部から入力された選曲番号を表示および転送のために一時的に保持するレジスタの内容を、転送実行時に初期化する際にあらかじめ退避保存させ、この退避保存させた選曲番号をユーザ操作部での操作に応じて上記レジスタに再現させ、下位桁番号からの再入力受付状態を形成するようにしたことにより、転送キーの２度押しによる重複予約の不都合を回避する機能を備えつつ、転送が失敗したときの再入力操作、および同じ歌手の持ち歌の中から連続予約を行う場合の選曲操作を大幅に簡便化させることができる。
【００３４】
さらに、下位桁番号の入力待ち状態にて、その下位桁の表示部分を点滅させる制御を行うことにより、入力対象となっている番号を利用者に効果的に認知させることができ、これにより、利用者はその下位２桁だけに注目して入力操作を一層確実に行うことができる。
【図面の簡単な説明】
【図１】この発明の技術が適用されたカラオケリモコン装置の概略構成を示す機能別ブロック図である。
【図２】図１に示したリモコン装置の外観構成例を示す正面図である。
【図３】図１に示したリモコン装置の要部における動作例を示すフローチャートである。
【図４】図１に示したリモコン装置の主要な動作状態を示す図である。
【符号の説明】
１０    ユーザ操作部
１４    復活操作用のキー（リコールキー）
１５    表示部
１５Ａ  上位桁表示域
１５Ｂ  下位桁表示域
２０    ＣＰＵ
２１    テンポラリ・レジスタ
Ｒ１１  上位桁記憶部
Ｒ１２  下位桁記憶部
２２    セーブ・レジスタ
Ｒ２１  上位桁記憶部
Ｒ２２  下位桁記憶部
２３    入力制御部
２４    転送制御部
２５    点滅制御部
３１    赤外線送信ユニット
５０    カラオケ本体装置
【図１】
0004298149.tif 000002
【図２】
0004298149.tif 000003
【図３】
0004298149.tif 000004
【図４】
0004298149.tif 000005